(57)【特許請求の範囲】
【請求項１】
発光管もしくは発光フィラメントを収容する内管の基端部と、その内管を収容する外管の基端部とが、口金のベースに対して接着剤で固定されると共に、内管の先端部に、該内管を外管に対して同心状に支持する金属薄板製のスペーサが取り付けられ、該スペーサが、内管の先端部中央に突出した排気管を穴に挿し通して該排気管に取付支持される中心板部と、該中心板部の周縁から突出して内管の基端部方向へ延びる３本以上の帯板部とを具有するランプにおいて、前記帯板部が、ランプの光軸に対して前記内管の周方向に傾いていることを特徴とするランプ。
【請求項２】
前記帯板部が、前記中心板部の周縁から略等間隔で突出すると共に、互いに向きを揃えて前記内管の周方向に傾いている請求項１記載のランプ。
【請求項３】
前記帯板部の前記光軸に対する傾き角度が、約１５°〜４５°に選定されている請求項１又は２記載のランプ。
【請求項４】
前記帯板部が、その先端部を前記外管の内面に圧接させるように付勢されると共に、前記排気管の先端部が、前記中心板部の抜け落ちを阻止するストッパ形状を成している請求項１、２又は３記載のランプ。
【発明の詳細な説明】
【技術分野】
【０００１】
本発明は、発光管もしくは発光フィラメントを収容する内管と、該内管を収容する外管とが、口金のベースに対して接着剤で固定された三重管型もしくは二重管型のランプに係り、特に、内管の先端部に、該内管を外管に対して同心状に支持する金属薄板製のスペーサが取り付けられたランプに関する。
【背景技術】
【０００２】
発光管と、該発光管を収容する内管と、該内管を収容する外管とから成る三重管型のメタルハライドランプや、発光フィラメントを収容する内管と、該内管を収容する外管とから成る二重管型のハロゲンランプは、その製造過程において、内管と該内管に被せる外管とを同心状に配置して双方の基端部を口金のベースに対して接着剤で固定する際に、外管に収容された内管に傾きが生じて、ランプの配光性が損なわれる製品不良を生ずるおそれがある。
【０００３】
そこで、内管に傾きが生ずることを防止するために、図７に示す従来の三重管型のランプ７１は、発光管７２を収容する内管７３と該内管を収容する外管７４との間に介在してその間に一定の間隔を保持することにより、内管７３を外管７４に対して同心状に支持する金属薄板製のスペーサＳＸが、内管７３の先端部７３ａに取り付けられている（特許文献１参照）。
【０００４】
スペーサＳＸは、内管７３の先端部７３ａの中央に突出した排気管（チップ管）７５を円形穴７７に挿し通して排気管７５に取付支持される円形リング状の中心板部７６と、該中心板部７６の周縁から等間隔で突出して内管７３の基端部７３ｂ方向へ延びた３本の帯板部７８、７８…とを具有し、これら各帯板部７８の先端部には、その先端部を内側に向かって円弧状に突出するように湾曲させて、内管７３の外面に当接する円弧面部７９が形成されると共に、その先端側を外側に向かって半球状に膨出させて、外管７４の内面に当接する球面突起８０が形成されている。
【０００５】
しかして、図７の如く内管７３に外管７４が被せられると、内管７３の先端部７３ａに取り付けられたスペーサＳＸの帯板部７８、７８…が、内管７３の円筒部の外面と外管７４の円筒部の内面との間に挟まって、その間が一定の間隔に保持されることにより、内管７３が外管７４に対して同心状に支持された状態となるから、内管７３の基端部７３ｂと外管７４の基端部７４ｂとを口金８１のベース８２に対して接着剤で固定する際に、内管７３に傾きが生ずることが防止される。
【０００６】
しかしながら、図７のランプ７１は、スペーサＳＸの帯板部７８、７８…が、その板幅面をランプの光軸Ｌに向けて、当該光軸Ｌと平行に沿うように内管７３の基端部７３ｂ方向へ長く延びているため、その帯板部７８、７８…で、発光管７２から内管７３を透して放射される有効光の一部が遮られて、ランプの光利用効率が著しく低下すると同時に、品質クレーム要因となる照度ムラや影が生じるという問題があった。
【０００７】
また、上記問題への対応策として、例えばスペーサＳＸの帯板部７８、７８…の長さを短くして、その先端部が内管７３の先端部７３ａ付近で内管７３と外管７４との間に挟まるようにすると、ランプ７１を輸送運搬する際に生ずる振動や衝撃などにより、帯板部７８、７８…が内管７３と外管７４との間から抜け出て、スペーサＳＸの中心板部７６が排気管７５から抜け落ち、スペーサＳＸが内管７３の先端部７３ａから脱落して、ランプ７１の外観・体裁が損なわれ、品質クレームを生ずるおそれがある。
【０００８】
そこで、本願出願人は、図８に示すように、内管７３の先端部７３ａに取り付けるスペーサＳＹの帯板部９８、９８…の長さを、図７のスペーサＳＸの帯板部７８よりも短くして、それら帯板部９８、９８…の先端部を内管７３の先端部７３ａ付近で内管７３と外管７４との間に介在させると同時に、その先端部が内管７３と外管７４との間から抜け出て、スペーサＳＹが内管７３の先端部７３ａから脱落することを防止するために、スペーサＳＹの中心板部９６の穴９７に挿し通した排気管７５の先端部７５ａを先太形状（ストッパ形状）に成形して、その排気管７５からスペーサＳＹの中心板部９６が抜け落ちることを阻止するランプ９１を提案した（特許文献２参照）。
【０００９】
しかしながら、図８のランプ９１と略同型のランプを試作して、当該ランプから生ずるスペーサＳＹの影を、図９の如く至近距離に投影して検証したところ、スペーサＳＹの帯板部９８、９８…の長さを短くしたことによって、各帯板部９８の影９８ｓの長さが著しく短いものとなるが、その影９８ｓは色濃いものであるから、当該ランプを店舗照明として使用すると、店舗の床面や壁面の色がホワイト、オフホワイト、アイボリー等の明るい無地色であったときに、その床面や壁面に投影されるスペーサＳＹの帯板部９８、９８…の影９８ｓ、９８ｓ…が目立って、ランプの品質クレーム要因となるおそれがある。特に、帯板部９８、９８…の影９８ｓ、９８ｓ…は、放射状に延びているから、その影が色濃いものであると、目に留まりやすく、品質クレームを生ずるおそれが大である。
【００１０】
なお、スペーサＳＹの帯板部９８の影９８ｓが色濃いものとなるのは、その帯板部９８がランプの光軸Ｌと平行に沿うように延びているために、図１０の如く、光源となる発光管７２のＡ点、Ｂ点およびＣ点から帯板部９８に向かって放射される光が、夫々Ａ、Ｂ、Ｃの各点と帯板部９８の下端とを結ぶ線Ａ’、線Ｂ’、線Ｃ’からスペーサＳＹの中心板部９６にかけて帯板部９８で遮られ、特に、線Ｃ’から中心板部９６にかけてのゾーンＺにおいて、Ａ、Ｂ、Ｃの各点から放射される全ての光が帯板部９８で遮られることとなるからである。
【先行技術文献】
【特許文献】
【００１１】
【特許文献１】意匠登録第１３１８６３７号公報
【特許文献２】特開２０１０−１５８９６号公報
【発明の概要】
【発明が解決しようとする課題】
【００１２】
本発明は、内管の先端部に、該内管を外管に対して同心状に支持する金属薄板製のスペーサが取り付けられたランプに関して、そのスペーサの帯板部が内管を透して放射される光を遮って生ずる影の濃さを薄くすることを技術的課題としている。
【課題を解決するための手段】
【００１３】
上記課題を解決するために、本発明は、発光管もしくは発光フィラメントを収容する内管の基端部と、その内管を収容する外管の基端部とが、口金のベースに対して接着剤で固定されると共に、内管の先端部に、該内管を外管に対して同心状に支持する金属薄板製のスペーサが取り付けられ、該スペーサが、内管の先端部中央に突出した排気管を穴に挿し通して該排気管に取付支持される中心板部と、該中心板部の周縁から突出して内管の基端部方向へ延びる３本以上の帯板部とを具有するランプにおいて、前記帯板部が、ランプの光軸に対して前記内管の周方向に傾いていることを特徴とする。
【発明の効果】
【００１４】
本発明によるランプは、内管の基端部方向へ延びるスペーサの帯板部が、ランプの光軸に対して内管の周方向に傾いているから、従来の如く帯板部がランプの光軸と平行に沿うように延びている場合に比べて、その帯板部が内管を透して放射される光を遮って生ずる影の濃さが全体的に希薄化されるという優れた効果がある。
【図面の簡単な説明】
【００１５】
【図１】本発明の実施例に係るランプの斜視図
【図２】実施例に係るランプに用いるスペーサの正面図
【図３】実施例に係るランプに用いるスペーサの平面図
【図４】実施例に係るランプに用いるスペーサの斜視図
【図５】実施例に係るランプから生ずるスペーサの影を概略的に表した図
【図６】本願発明のランプにおいてスペーサの帯板部の影が薄くなる原理を示す図
【図７】従来のランプを示す図
【図８】従来のランプを示す図
【図９】従来のランプから生ずるスペーサの影を概略的に表した図
【図１０】従来のランプにおいてスペーサの帯板部の影が色濃いものとなる原理を示す図
【発明を実施するための形態】
【００１６】
本発明に係るランプの実施形態は、発光管もしくは発光フィラメントを収容する内管の基端部と、その内管を収容する外管の基端部とが、口金のベースに対して接着剤で固定されると共に、内管の先端部に、該内管を外管に対して同心状に支持する金属薄板製のスペーサが取り付けられており、該スペーサは、内管の先端部中央に突出した排気管を穴に挿し通して該排気管に取付支持される中心板部と、該中心板部の周縁から略等間隔で突出して内管の基端部方向へ延びる少なくとも３本ないし４本の帯板部とを具有している。
【００１７】
そして、スペーサの帯板部が内管を透して放射される光を遮って生ずる影の濃さを希薄化させるために、該帯板部が、互いに向きを揃えて、ランプの光軸に対して内管の周方向に傾いており、その傾き角度は、約１５°〜４５°に選定されている。
【００１８】
また、外管の基端部を口金のベースに固定する接着剤の劣化によってそのベースから脱落した外管をスペーサの帯板部の先端部に掛け止めて、外管の落下を阻止するために、スペーサの帯板部が、その先端部を外管の内面に圧接させるように付勢されると共に、スペーサの中心板部を取付支持する排気管の先端部が、中心板部の抜け落ちを阻止するストッパ形状を成している。
【実施例】
【００１９】
図1に示す実施例のランプ1は、発光管２を収容する内管３の基端部３ｂと、内管３を収容する外管４の基端部４ｂとが、口金５のベース６に対して耐熱性接着剤で固定された三重管型メタルハライドランプであって、内管３の先端部３ａに、内管３と外管４との間に介在してその間に一定の間隔を保持することにより内管３を外管４に対して同心状に支持する金属薄板製のスペーサＳが取り付けられている。なお、発光管２は、透光性セラミックで形成され、内管３と外管４は、夫々その基端部３ｂ、４ｂ側が開口せられた円筒状の石英ガラス管と硬質ガラス管で形成され、スペーサＳは、厚さ０．２ｍｍのバネ用ステンレス鋼帯（ＳＵＳ３０４−ＣＳＰ）で形成されている。
【００２０】
また、スペーサＳは、内管３の先端部３ａの中央に突出した排気管７を円形穴１０に挿し通して排気管７に取付支持される円形リング状の中心板部８と、該中心板部８の周縁から９０°間隔で突出して内管３の基端部３ｂ方向へ延びる４本の帯板部９、９…とを具有している。
【００２１】
そして、スペーサＳの帯板部９、９…は、長さ約７〜１２ｍｍ、幅約１．５〜３ｍｍに形成されると共に、互いに向きを揃えて、ランプ１の光軸Ｌに対して内管３の周方向に傾いており、その傾き角度θは、約１５°〜４５°の範囲に選定されている。
【００２２】
また、スペーサＳは、中心板部８の円形穴１０の周囲に沿って排気管７の外周部に当接させる４本の爪片１１、１１…が等間隔で形成されると共に、中心板部８の面内方向に沿って、その機械的強度を高めるための環状リブ１２が形成され、帯板部９、９…の先端部には、外管４の内面に当接する球状突起１３が形成されている。
【００２３】
内管３の先端部３ａに取り付けられたスペーサＳの帯板部９、９…は、図１の如く、内管３に被せられた外管４で内管３側へ押圧されて、図４実線図示の状態から同図鎖線図示の如く弾性変形し、その弾性変形によって生ずる反発力により、球状突起１３が形成された先端部を外管４の内面に圧接させるように付勢されている。
【００２４】
また、内管３の先端部３ａの中央に突出する排気管７は、その余長部分を酸水素バーナ等で焼き切ってチップオフした際に、加熱軟化状態となっている先端部７ａを軸方向に圧し潰して図示のような先太形状に成形されることにより、その先端部７ａが、スペーサＳの中心板部８に形成された爪片１１、１１…の先端を係止して中心板部８の抜け落ちを阻止するストッパ形状を成している。
【００２５】
以上の如く構成された実施例のランプ１は、当該ランプから至近距離に投影されるスペーサＳの影が、図５に示すようなものとなり、その帯板部９、９…の影９ｓ、９ｓ…の濃さは、図９に示すスペーサＳＹの帯板部９８、９８…の影９８ｓ、９８ｓ…よりも薄いものとなっている。
【００２６】
このようにスペーサＳの帯板部９、９…の影９ｓ、９ｓ…が薄くなるのは、それら帯板部９、９…が、ランプ１の光軸Ｌに対して内管３の周方向に傾いていることにより、図６に示すように、光源となる発光管２のＡ点、Ｂ点およびＣ点から放射される光が帯板部９によって遮られるゾーンが、夫々Ａ、Ｂ、Ｃの各点と帯板部９の板幅方向の両端とを結ぶ線Ａ’−Ａ”間、線Ｂ’−Ｂ”間および線Ｃ’−Ｃ”間の狭い角度範囲に止まり、Ａ、Ｂ、Ｃの各点から放射される全ての光が帯板部９で遮られて色濃い影が生ずるゾーンＺが、投影距離が少し長くなると消失してしまう網線図示の如き狭小かつ短小な範囲に止まるからである。
【００２７】
したがって、ランプ１は、これを店舗照明として使用しても、店舗の床面や壁面に投影されるスペーサＳの帯板部９、９…の影９ｓ、９ｓ…が目立って品質クレームを生ずるおそれはない。
【００２８】
なお、本発明者の実験によれば、スペーサＳの帯板部９、９…の傾き角度θを約１５°以上とすれば、その帯板部９、９…の影９ｓ、９ｓ…の濃さを希薄化する十分な効果が得られることが確認された。
【００２９】
また、実施例の如く、スペーサＳの帯板部９、９…が、その先端部を外管４の内面に対して圧接させるように付勢されると共に、スペーサＳの中心板部８を取付支持する排気管７の先端部７ａが、中心板部８の抜け落ちを阻止するストッパ形状を成していれば、外管４の基端部４ｂを口金５のベース６に固定する接着剤の劣化によって外管４がベース６から脱落したときに、外管４の内面に先端部を圧接させたスペーサＳの帯板部９、９…が、外管４の荷重を受けて外方へ押し拡げられて、帯板部９、９…の先端部と外管４の内面との間の摩擦力が増大し、外管４が帯板部９、９…の先端部に掛け止められた状態となって、その落下が阻止されることが確認された。更に、帯板部９、９…の傾き角度θを約４５°以下とすれば、その帯板部９、９…の先端部に外管４が確実に掛け止められることが確認された。
【００３０】
なお、実施例のスペーサＳは、その帯板部９、９…が全体的に傾いているが、本発明は、これに限らず、帯板部９、９…が中心板部８の周縁に近い途中部分から先端部にかけて傾いている場合であってもよい。
【産業上の利用可能性】
【００３１】
本発明は、発光管と該発光管を収容する内管と該内管を収容する外管とから成る三重管型ランプや、発光フィラメントを収容する内管と該内管を収容する外管とから成る二重管型ランプの品質性能と信頼性の向上に資するものである。
【符号の説明】
【００３２】
１…ランプ
Ｌ…ランプの光軸
２…発光管
３…内管
４…外管
５…口金
６…口金のベース
７…排気管
Ｓ…スペーサ
８…中心板部
９…帯板部
１０…円形穴
１１…爪片
１２…環状リブ
１３…球状突起
【図１】
0005696400.tif 000002
【図２】
0005696400.tif 000003
【図３】
0005696400.tif 000004
【図４】
0005696400.tif 000005
【図６】
0005696400.tif 000006
【図７】
0005696400.tif 000007
【図８】
0005696400.tif 000008
【図１０】
0005696400.tif 000009
【図５】
0005696400.tif 000010
【図９】
0005696400.tif 000011